(57)【要約】【課題】ＶｏＩＰによるパケットを交換して通信を行うＩＰ電話システムにおいて、電話端末をコードレス化した子機電話端末の使用を可能にするＩＰ電話システムを提供。【解決手段】ＩＰネットワーク１０には、Ｈ．３２３ゲートキーパ機能を有するコンピュータ装置２０と、プロトコル変換処理機能を有する複数のコンピュータ装置２２，２４，２６と、ＩＰ電話機３０，３２とが接続され、コンピュータ装置２２，２４，２６にはそれぞれ子機端末装置５０，５２，５４の識別子が登録されて、コンピュータ装置２２，２４，２６と子機端末装置５０，５２，５４との通信リンクのピコネットが形成されていると、子機端末装置から所望の相手先端末への発信が行われてＩＰネットワーク１０を介して音声通話を行うＩＰ電話システム１００が構築されている。【選択図】        図１
2005020545.tif 000002
【特許請求の範囲】
【請求項１】
インターネットプロトコルを使用してパケットを通信するインターネットプロトコル網に接続されて、インターネットプロトコルを使用して音声パケットを交換するＶｏＩＰによって音声通話を行うＩＰ電話システムにおいて、該システムは、
前記インターネットプロトコル網に接続され、前記インターネットプロトコルと他の無線通信プロトコルとのプロトコル変換を行うコンピュータ装置と、
前記コンピュータ装置に前記無線通信プロトコルによって無線通信にて接続し、該コンピュータ装置が接続しているインターネットプロトコル網を介して他の電話端末と音声通信を行う第１の子機端末装置と、
前記インターネットプロトコル網に接続され、前記コンピュータ装置に対する呼制御を行うゲートキーパ装置とを含み、
前記コンピュータ装置と前記第１の子機端末装置とには、前記無線通信プロトコルに応じた同一の識別子が設定されて、
前記コンピュータ装置は、前記第１の子機端末装置との通信リンクを形成している場合に、発着信制御を行うことを特徴とするＩＰ電話システム。
【請求項２】
請求項１に記載のＩＰ電話システムにおいて、該システムは、前記コンピュータ装置に前記無線通信プロトコルによって無線通信にて接続し、該コンピュータ装置が接続しているインターネットプロトコル網を介して他の電話端末と音声通信を行う第２の子機端末装置であって、前記コンピュータ装置に設定されている識別子とは異なる識別子が設定された第２の子機端末装置を含み、
前記コンピュータ装置は、前記第２の子機端末装置との通信リンクを形成している場合に、該第２の子機端末装置からの呼出しを検出すると、呼処理可能であるか否かの判断に応じて発信制御を行うことを特徴とするＩＰ電話システム。
【請求項３】
請求項１に記載のＩＰ電話システムにおいて、前記コンピュータ装置は、前記インターネットプロトコル網からの着呼を検出した際に、前記第１の子機端末装置との通信リンクを形成している場合に着信制御を行うことを特徴とするＩＰ電話システム。
【請求項４】
請求項１に記載のＩＰ電話システムにおいて、前記コンピュータ装置は、複数の第１の子機端末装置にそれぞれ対応する識別子を着信優先順位に応じて設定し、前記インターネットプロトコル網からの着呼を検出した際に、優先順位に応じた識別子が設定された第１の子機端末装置について着信制御を行うことを特徴とするＩＰ電話システム。
【請求項５】
請求項１に記載のＩＰ電話システムにおいて、前記コンピュータ装置は、前記インターネットプロトコル網からの着呼を検出した際に、前記第１の子機端末装置との通信リンクを形成していない場合に、不在情報を前記ゲートキーパ装置に通知することを特徴とするＩＰ電話システム。
【請求項６】
請求項１に記載のＩＰ電話システムにおいて、前記コンピュータ装置は、前記インターネットプロトコル網からの着呼を検出した際に、前記第１の子機端末装置との通信リンクを形成していない場合に、不在メッセージを発信元に返信することを特徴とするＩＰ電話システム。
【請求項７】
請求項１に記載のＩＰ電話システムにおいて、前記ゲートキーパは、Ｈ．３２３通信制御機能を有するゲートキーパであることを特徴とするＩＰ電話システム。
【請求項８】
請求項１に記載のＩＰ電話システムにおいて、前記コンピュータ装置は、プロトコル変換処理を行うＨ．３２３ゲートウェイ機能を有することを特徴とするＩＰ電話システム。
【請求項９】
請求項１に記載のＩＰ電話システムにおいて、前記コンピュータ装置は、Ｂｌｕｅｔｏｏｔｈ（登録商標）技術仕様に準拠する通信インタフェース回路を備え、該技術仕様に応じた無線通信プロトコルと、前記インターネットプロトコルとを変換するプロトコル変換処理を行うことを特徴とするＩＰ電話システム。
【請求項１０】
請求項１に記載のＩＰ電話システムにおいて、前記第１の子機端末装置は、Ｂｌｕｅｔｏｏｔｈ技術仕様に準拠する通信インタフェース回路を備えることを特徴とするＩＰ電話システム。
【発明の詳細な説明】
【０００１】
【発明の属する技術分野】
本発明は、ＩＰネットワークに電話端末を収容して、ＶｏＩＰによるパケットを交換して通信を行うＩＰ電話システムに係り、たとえば、電話端末をコードレス化した子機電話の使用を提供するＩＰ電話システムに関するものである。
【０００２】
【従来の技術】
近年、インターネットプロトコル（ＩＰ）を使用して音声や映像、さらにデータ系情報を送受信するマルチメディア通信がＩＰネットワークにて行われている。このような通信を標準化するために、たとえば、ＩＴＵ−Ｔ  （Ｉｎｔｅｒｎａｔｉｏｎａｌ  Ｔｅｌｅｃｏｍｍｕｎｉｃａｔｉｏｎ  Ｕｎｉｏｎ  −  Ｔｅｌｅｃｏｍｍｕｎｉｃａｔｉｏｎ）では、Ｈ．３００シリーズの標準を制定している。
【０００３】
その中でＨ．３２３は、音声通信として電話系の通信を行うために採用されて、たとえばＶｏＩＰ（Ｖｏｉｃｅ  ｏｖｅｒ  ＩＰ）通信を行うために必要な呼制御についての標準を含む。
【０００４】
ＶｏＩＰ通信を行うためのシステム構成として、アナログ回線やＰＨＳ回線等の電話回線を収容して異なる通信網とのプロトコル変換を行う機能を有するＨ．３２３ゲートウェイ装置と、交換接続動作を制御する機能を有するＨ．３２３ゲートキーパ装置とをＩＰネットワークに接続することにより、ＩＰ電話交換システムが構築されて、従来の交換機にて行っていたような電話交換サービスが提供される。
【０００５】
また、このようなＩＰ交換システムが構築されたＩＰネットワークにＩＰ電話機を直接接続することができる。ＩＰ電話機は、Ｈ．３２３ゲートキーパの制御によって、従来の電話機と同様の使用方法にて操作および通話を行うことができるＩＰ電話交換システム用の電話機である。したがって、パーソナルコンピュータ等が多数ＬＡＮに設置された事業所等の環境では、そのイントラネットに複数のＩＰ電話機を接続してＩＰ電話機間同士の通話ができ、さらにネットワーク間のプロトコル変換を行うＨ．３２３ゲートウェイ装置を介してアナログ電話回線やディジタル回線にて構成された電話システムに収容された電話端末とＩＰ電話機間通話することが可能になる。
【０００６】
また、Ｈ．３２３ゲートウェイ装置にＰＢＸ装置を搭載してＩＰ交換機を形成し、電話機を複数設置することによりＩＰ電話システムに内線電話機を複数収容させることができる。内線電話機としてたとえばＰＨＳ電話端末を採用する場合には、ＩＰ交換機にＰＨＳ基地局を複数接続することにより、構内コードレス電話システムが構築される。
【０００７】
さらにＰＨＳ電話端末のように無線によって情報通信を行うワイヤレスネットワークの実現が期待されている。たとえば、近距離無線技術が適用されたＢｌｕｅｔｏｏｔｈでは、通信エリア内の電子機器を無線にて接続して情報通信を行うことが可能となる。
【０００８】
【特許文献１】
特開２００１−２８５４７６号公報
【特許文献２】
特開２００２−３５４１４４号公報。
【０００９】
【発明が解決しようとする課題】
しかしながら、ＩＰ交換機にＰＨＳ電話端末を収容させて、コードレス電話システムを構築するためには、Ｈ．３２３ゲートウェイ装置からＰＨＳ基地局までの間をＰＨＳ電話回線を敷設する必要があるので、設備および工事のためのコストが発生するとともに、その工事期間が必要であるという問題があった。また、ＰＨＳ電話回線は、ＩＰネットワークとは別の配線であり、構内にすでに敷設されているＩＰネットワークを有効に利用することはできなかった。
【００１０】
また、ＩＰ交換システムにＩＰ電話機を多数収容させたシステムを構築する場合、ＩＰ電話機の接続台数に応じたＩＰアドレスがさらに必要になり、ネットワーク接続する複数のコンピュータ端末装置と複数のＩＰ電話機とにより、ＩＰアドレスが不足するという問題があった。
【００１１】
さらに、ＩＰ交換機を介したＩＰ電話機間の内線通話についても音声パケットがＩＰネットワークを転送されるため、内線のトラヒックが増大するとＬＡＮ上のパケット転送量が増大し、たとえばパソコン間の他のデータ転送等のパフォーマンスを低下させるという問題があった。
【００１２】
本発明はこのような従来技術の欠点を解消し、ＶｏＩＰによるパケットを交換して通信を行うＩＰ電話システムにおいて、たとえば、電話端末をコードレス化した子機電話端末の使用を可能にするＩＰ電話システムを提供することを目的とする。
【００１３】
【課題を解決するための手段】
本発明は上述の課題を解決するために、インターネットプロトコルを使用してパケットを通信するインターネットプロトコル網に接続されて、インターネットプロトコルを使用して音声パケットを交換するＶｏＩＰによって音声通話を行うＩＰ電話システムにおいて、このシステムは、インターネットプロトコル網に接続され、インターネットプロトコルと他の無線通信プロトコルとのプロトコル変換を行うコンピュータ装置と、コンピュータ装置に無線通信プロトコルによって無線通信にて接続し、コンピュータ装置が接続しているインターネットプロトコル網を介して他の電話端末と音声通信を行う第１の子機端末装置と、インターネットプロトコル網に接続され、コンピュータ装置に対する呼制御を行うゲートキーパ装置とを含み、コンピュータ装置と第１の子機端末装置とには、無線通信プロトコルに応じた同一の識別子が設定されて、コンピュータ装置は、第１の子機端末装置との通信リンクを形成している場合に、発着信制御を行うことを特徴とする。
【００１４】
この場合、このＩＰ電話システムは、コンピュータ装置に無線通信プロトコルによって無線通信にて接続し、コンピュータ装置が接続しているインターネットプロトコル網を介して他の電話端末と音声通信を行う第２の子機端末装置であって、コンピュータ装置に設定されている識別子とは異なる識別子が設定された第２の子機端末装置を含み、コンピュータ装置は、第２の子機端末装置との通信リンクを形成している場合に、第２の子機端末装置からの呼出しを検出すると、呼処理可能であるか否かの判断に応じて発信制御を行うとよい。
【００１５】
また、コンピュータ装置は、インターネットプロトコル網からの着呼を検出した際に、第１の子機端末装置との通信リンクを形成している場合に着信制御を行うとよく、また、コンピュータ装置は、複数の第１の子機端末装置にそれぞれ対応する識別子を着信優先順位に応じて設定し、インターネットプロトコル網からの着呼を検出した際に、優先順位に応じた識別子が設定された第１の子機端末装置について着信制御を行うとよい。
【００１６】
さらに、コンピュータ装置は、インターネットプロトコル網からの着呼を検出した際に、第１の子機端末装置との通信リンクを形成していない場合に、不在情報をゲートキーパ装置に通知するとよく、また、コンピュータ装置は、インターネットプロトコル網からの着呼を検出した際に、第１の子機端末装置との通信リンクを形成していない場合に、不在メッセージを発信元に返信するとよい。
【００１７】
またゲートキーパは、Ｈ．３２３通信制御機能を有するゲートキーパであるよく、またコンピュータ装置は、プロトコル変換処理を行うＨ．３２３ゲートウェイ機能を有するとよい。
【００１８】
また、コンピュータ装置は、Ｂｌｕｅｔｏｏｔｈ  技術仕様に準拠する通信インタフェース回路を備え、技術仕様に応じた無線通信プロトコルと、インターネットプロトコルとを変換するプロトコル変換処理を行うとよく、さらに、第１の子機端末装置は、Ｂｌｕｅｔｏｏｔｈ  技術仕様に準拠する通信インタフェース回路を備えるとよい。
【００１９】
【発明の実施の形態】
次に添付図面を参照して本発明によるＩＰ電話システムの実施例を詳細に説明する。
【００２０】
図１を参照すると、インターネットプロトコルによる通信が行われるインターネットプロトコル（ＩＰ）ネットワーク１０に複数のコンピュータ装置２０，２２，２４，２６やＩＰ電話機３０，３２が接続されたイントラネット上のＩＰ電話システム１００の一実施例が示されている。
【００２１】
コンピュータ装置（ＧＫ）  ２０は、ＩＴＵ−Ｔ勧告による国際標準Ｈ．３２３に準拠し、電話サービスを制御するための各種処理機能を有するＨ．３２３ゲートキーパ（ＧＫ）装置である。本実施例では、コンピュータ装置２０は、ＩＰネットワーク１０上にてＶｏＩＰ（Ｖｏｉｃｅ  ｏｖｅｒ  ＩＰ）による電話サービスを実現するために、ＩＰネットワーク１０に接続されたＩＰ電話機３０，３２およびコンピュータ装置２０，２２，２４，２６をＨ．３２３エンドポイントとして登録し、これら複数の端末をゾーンとして管理する。コンピュータ装置２０は、管理しているゾーンの端末に対するアドレス解決等のアドレス管理、呼の制御および帯域制限などの通信制御機能を有している。
【００２２】
コンピュータ装置２２，２４，２６は、Ｈ．３２３ゲートウェイ機能を有するパーソナルコンピュータ（ＰＣ）であり、コンピュータ装置２２，２４，２６にはネットワーク装置を識別するＩＰアドレスがそれぞれ設定されている。
【００２３】
図示するようにコンピュータ装置２２，２４には、近距離無線技術インタフェース回路を有する通信ユニット４０，４２がＵＳＢ等のインタフェース４２を介してそれぞれ接続されている。この近距離無線技術として本実施例ではＢｌｕｅｔｏｏｔｈ  技術仕様が各コンピュータ装置２２，２４，２６に適用されている。
【００２４】
この近距離無線技術では、コンピュータ装置２２，２４，２６は、通信エリア内の子機端末装置５０，５２，５４と無線リンクを形成して、近距離無線技術によりたとえばコンピュータ装置２２と子機端末装置５０とを接続してマスタおよびスレーブからなるピコネットを形成し、子機端末装置５０から発信し通話を行う。コンピュータ装置２２と子機端末装置５０とには、同一アドレスである識別子（ＢＤ＿ＡＤＤＲ）を運用開始時に設定登録しており、コンピュータ装置２２は子機端末装置５０に対する親機として機能する。また子機端末装置５０，５２，５４にはそれぞれ他とは異なる一意の識別子（ＢＤ＿ＡＤＤＲ）が与えられる。
【００２５】
コンピュータ装置２４，２６も同様にそれぞれ子機端末装置５２，５４について同番号の識別子（ＢＤ＿ＡＤＤＲ）をそれぞれ登録管理している。
【００２６】
各コンピュータ装置２２，２４，２６は、同一の識別子が設定された子機端末装置５０，５２，５４からの呼を受け付けてＩＰネットワーク１０側への呼処理を行う機能を有する。さらに各コンピュータ装置２２，２４，２６は、それぞれ自装置に設定された識別子とは異なる識別子が設定されている子機端末装置からの呼を検出すると、処理可能か否かを判断し、呼処理可能な場合にＩＰネットワーク１０への呼処理を行う機能も有している。
【００２７】
なお、各コンピュータ装置２２，２４，２６は、同一の識別子を登録した子機端末装置５０，５２，５４への着信をＩＰネットワーク１０から検出すると、登録された子機端末装置と通信エリア内にてピコネットを形成している場合にその着信を受け付けて子機端末装置と接続し、ピコネットが形成されていない場合には、ＩＰネットワーク１０上のコンピュータ装置（ＧＫ）２０に不在通知を送出する機能を有している。
【００２８】
子機端末装置５０，５２，５４は、Ｂｌｕｅｔｏｏｔｈ  技術仕様の近距離無線技術インタフェース回路とＶｏＩＰ処理機能とを有するコードレス電話端末であり、このコードレス電話端末は、同技術仕様の通信インタフェース備えるコンピュータ装置２２，２４，２６に対するコードレス子機として機能する。
【００２９】
なお、コンピュータ装置２６には、通信ユニット４０と同等の機能を有する通信制御回路が内蔵されている。もちろんこの通信制御回路は、カードスロットに装着するように構成されてもよい。
【００３０】
これらコンピュータ装置２２，２４，２６は、たとえば事業所内に配置された机上などに設置されて、不図示のＬＡＮインタフェース回路を介してＩＰネットワーク１０にそれぞれ接続されている。
【００３１】
ＩＰ電話機（ＩＰ−ＴＥＬ）  ３０，３２は、音声信号をＩＰパケットに組み立てて変換したＩＰパケットをＩＰネットワーク１０に送出し、ＩＰネットワーク１０から送られるＩＰパケットを分解して音声信号に変換して送話および受話を行うＩＰネットワーク用の電話端末であり、それぞれを識別するＩＰアドレスが設定されている。本実施例におけるＩＰ電話機３０，３２は、コンピュータ装置２２，２４，２６と同様に国際標準Ｈ．３２３に準拠してＶｏＩＰ（Ｖｏｉｃｅ  ｏｖｅｒ  ＩＰ）による電話通話を行うＨ．３２３エンドポイントである。
【００３２】
このように子機端末装置５０，５２，５４は、ＶｏＩＰにて音声とパケットとの変換処理を行い、ネットワーク接続されたコンピュータ装置２２，２４，２６に近距離無線技術により音声パケットを交換し、コンピュータ装置２２，２４，２６が親機として機能することにより、たとえばＩＰ電話機３０，３２や、直接ピコネットを形成できない他の子機端末装置と呼接続して音声通話を行うことができる。
【００３３】
コンピュータ装置２２，２４，２６のうち、近距離無線技術のインタフェース回路が内蔵されたコンピュータ装置２６の内部構成例を図２を参照して説明する。コンピュータ装置２６は、パーソナルコンピュータ装置の基本的な入出力回路、表示回路、記憶回路および演算処理回路等の周辺回路とアプリケーションソフトウェア等が格納された記憶装置等とを含む中央処理装置２００を備えている。
【００３４】
中央処理装置２００には、所定のバスインタフェースを介してＬＡＮコントローラ２０２とベースバンド処理回路２０４とＲＦトランシーバ回路２０６とがそれぞれ接続されている。ＬＡＮコントローラ２０２は、ＩＰネットワーク１０に接続されて、ＩＰパケットを送受信するネットワークインタフェースカードである。
【００３５】
ベースバンド処理回路２０４およびＲＦトランシーバ回路２０６は、上述の近距離無線技術が適用されたインタフェース回路を構成し、ベースバンド処理回路２０４は、ＩＰパケットと近距離無線技術によるパケットとのプロトコル変換を実行し、またピコネットを構成するなどの通信管理や周波数およびタイミング管理などを行って通信リンクを制御する処理回路である。
【００３６】
ＲＦトランシーバ回路２０６は、ＩＳＭバンドと呼ばれる２．４ＧＨｚ周波数帯域にて周波数ホッピング型スペクトル拡散方式でワイヤレス通信を行うための変復調回路を含む物理層回路である。本実施例ではＲＦトランシーバ回路２０６は、無線周波数信号を送受信するためのアンテナを含み、受信電波の受信強度に応じた送出電力制御を行う機能を有している。
【００３７】
中央処理装置２００は、ＩＰネットワーク１０に接続されているコンピュータ装置（ＧＫ）２０にＨ．３２３エンドポイントとしてコンピュータ装置２６が登録されるとともに、ＩＰネットワーク１０と近距離通信技術を使用する子機端末装置５４等とを接続して呼制御情報や音声パケットなどを相互に変換するＨ．３２３ゲートウェイ処理機能を有する。
【００３８】
中央処理装置２００は、ＩＰネットワーク１０側に対する発着信制御を行って、子機端末装置５４からの呼や子機端末装置への呼を処理する呼制御機能を提供する。
【００３９】
また、コンピュータ装置２６の中央処理装置２００には、たとえば子機端末装置５４に設定登録する識別子（ＢＤ＿ＡＤＤＲ）と同一の番号を設定登録して、これを自局の登録子機として管理する機能を有し、識別子（ＢＤ＿ＡＤＤＲ）と、エンドポイントに割り当てられた電話番号との変換テーブルを備えている。中央処理装置２００は、７台までの複数の子機端末装置の識別子（ＢＤ＿ＡＤＤＲ）を設定登録する。この場合、中央処理装置２００は、子機端末装置ごとに優先順位を設定すると、たとえば着信の際に優先順位に応じた順番にて子機端末装置を呼び出すことができる。
【００４０】
中央処理装置２００は、子機端末装置５４とピコネットを形成している際に、この子機端末装置５４からの発呼を受け付けて処理する機能と、またこのピコネット形成時にＩＰネットワークからの着呼が発生するとこの子機端末装置５４に接続して、子機端末装置５４とＩＰネット上の発信側端末装置と呼接続する機能を有している。逆に登録子機とのピコネットを形成していない状態においてＩＰネットワーク１０からの着呼が発生すると、子機端末装置５４は不在である旨を示す不在通知情報を発信元に通知させる機能を有する。この機能は、コンピュータ装置２０を介在して電話サービスとして発信元に通知される。なお、この場合、コンピュータ装置２６にて着信処理を行って、たとえば不在メッセージを発信元に返送するようにしてもよい。
【００４１】
本実施例ではさらに、自局の登録子機ではない未登録子機である他の子機端末装置５０，５２等とのピコネットが形成されている際に、その未登録子機からの発呼要求を検出すると、処理可能である場合にその呼を登録親機に代理して受け付けてＩＰネットワーク１０側に呼接続処理を行う処理機能を有している。
【００４２】
中央処理装置２００は、また、通常の業務用のアプリケーションソフトウェアなどが導入されており、上述の処理制御機能や各種ソフトウェアは、所定のオペーレーティングシステム上で稼働することができる。
【００４３】
子機端末装置５０，５２，５４の内部構成例を図３に示す。これら子機端末装置５０，５２，５４は、それぞれ異なる値の識別子が設定される点で互いに異なり、他の機能構成は同じでよいので、子機端末装置５４を例示して説明する。
【００４４】
子機端末装置５４は、図示するように近距離無線技術が適用されたインタフェース回路を構成するＲＦトランシーバ回路３００およびベースバンド処理回路３０２を備えている。
【００４５】
ＲＦトランシーバ回路３００は、たとえば図２に示したＲＦトランシーバ回路２０６と同様の回路構成でよく、２．４ＧＨｚ周波数帯域にて周波数ホッピング型スペクトル拡散方式でワイヤレス通信を行う無線周波数回路である。ＲＦトランシーバ回路３００は無線周波数信号を送受信するためのアンテナを含み、受信電波の受信強度に応じた送出電力制御を行う機能を有している。ＲＦトランシーバ回路３００の入出力はベースバンド処理回路３０２に接続されている。
【００４６】
ベースバンド処理回路３０２は、たとえば図２に示したベースバンド処理回路２０４と同様の回路構成でよく、ベースバンド処理回路３０２は、制御回路３０４の制御の下で、ＶｏＩＰ処理によるＩＰパケットと近距離無線技術によるパケットとのプロトコル変換を実行し、またピコネットを構成するなどの通信管理や周波数およタイミング管理などを行って通信リンクを制御する処理回路である。ベースバンド処理回路３０２の入出力はＶｏＩＰ処理回路３０６に接続されている。
【００４７】
ＶｏＩＰ処理回路３０６は、音声信号をＩＰパケットに組み立てて、またＩＰパケットを分解して音声信号を抽出する音声パケットの分解組立機能を有し、さらに呼出しおよび音声通話に関する制御パケットを生成する機能を有している。ＶｏＩＰ処理回路３０６はさらにＣＯＤＥＣ  ３０８に接続されている。
【００４８】
ＣＯＤＥＣ  ３０８には、アンプ３１０を介してマイク３１２が接続され、他方にアンプ３１４を介してスピーカ３１６が接続されている。ＣＯＤＥＣ  ３０８は、マイク３１２にて変換された音声信号に所定の符号化処理を施す符号化処理回路と、ＶｏＩＰ処理回路３０６から出力される符号化データを復号して音声信号を生成する復号処理回路とを含む。ＣＯＤＥＣ  ３０８は、たとえば、Ｇ．７１１やＧ．７２９などの標準化された音声符号化方式にて変換処理を行う。
【００４９】
制御回路３０４は、子機端末装置５４の各部を制御して、呼の生成と着信制御とを統括して行う処理回路であり、発信および着信の際には操作部３２０への操作を検出し、その操作情報に応じた処理制御を行う。制御回路３０４および操作部３２０は、たとえば（ＰＤＡ：ｐｅｒｓｏｎａｌ  ｄｉｇｉｔａｌ  ａｓｓｉｓｔａｎｔ）などの携帯情報端末の機能構成を利用して構成してもよく、その場合、他の機能構成回路は、カードインタフェース等を介して携帯情報端末に装着するとよい。制御回路３０４には、親機としてのコンピュータ装置２６に設定されている識別子（ＢＤ＿ＡＤＤＲ）と同一の識別子を設定登録する。
【００５０】
子機端末装置５４は、たとえば親機であるコンピュータ装置２６とピコネットを形成している際に、子機端末装置５４からの発呼を親機に要求し、ピコネット形成時にＩＰネットワーク１０からコンピュータ装置２６に着呼が発生して、コンピュータ装置２６から呼出しを受けるとこれに応答接続して、子機端末装置５４とＩＰネットワーク１０上の発信側端末装置とが呼接続される。
【００５１】
さらに、子機端末装置５４は、自局が登録されている親機ではない他のコンピュータ装置２２，２４とピコネットを形成している際に、発信操作を検出すると、ピコネットを形成しているコンピュータ装置に発信情報を送出して、これが受け付けられると呼接続処理動作の後、通話処理を行う機能を有している。
【００５２】
また、子機端末装置５０，５２，５４はそれぞれ端末同士にてピコネットを形成することができ、登録親機からの管理が行われない状態にて子機端末装置５０，５２，５４間で直接無線通信を行うことができ、この場合、制御回路３０４は、音声通話について内線電話として制御する機能を有する。
【００５３】
以上のような構成で、ＩＰ電話システム１００の動作を図４ないし図７を参照して説明する。まず、子機端末装置５４からその登録親機であるコンピュータ装置（ＰＣ）  ２６を介してＩＰ電話機（ＩＰ−ＴＥＬ）  ３０に発信して呼接続する動作を図４を参照して説明する。
【００５４】
図示するように、子機端末装置５４とコンピュータ装置２６とが通信リンクによりピコネットが形成されている状態にて、子機端末装置５４にて発信操作が検出されると、コンピュータ装置２６に対して呼出しが行われる。コンピュータ装置２６は、登録子機である子機端末装置５４からの呼出しを検出してその識別子を認識すると、コンピュータ装置（ＧＫ）  ２０に対し呼設定を送出し、その応答を検出するとセッションが確立したことを子機端末装置５４に通知して、子機端末装置５４を通話状態に制御する。これで子機端末装置５４はＩＰ電話機３０との通話ができる状態となる。
【００５５】
次に、図５に示すように子機端末装置５４がコンピュータ装置２６の通信エリア外に移動して、他のコンピュータ装置２４の通信エリアに入り、ピコネットを形成した場合について説明すると、子機端末装置５４は未登録親機であるコンピュータ装置２６からのスキャンに応動して応答し、コンピュータ装置２４の判断に応じてピコネットが形成される。
【００５６】
ここで、子機端末装置５４にて発信操作が検出されると、コンピュータ装置２４に対して呼出しが行われるが、コンピュータ装置２４は、未登録子機である子機端末装置５４からの呼出しを認識すると、たとえば呼処理が受付可能な場合に、コンピュータ装置（ＧＫ）  ２０に対し呼設定を送出して呼処理が行われる。このように、識別子が未登録の子機端末装置であっても、子機端末装置から呼を処理できる場合にコンピュータ装置２４は、登録親機の代理動作を行うことができる。他のコンピュータ装置２２，２６も同様に未登録子機に対する代理処理を行うことができる。
【００５７】
次に、ＩＰ電話機３０からコンピュータ装置２６に対する発信時動作を図６を参照して説明すると、まず、コンピュータ装置２６と子機端末装置５４とが通信エリア内にてピコネットが形成されている。ＩＰ電話機３０にて発信操作が行われると、呼設定処理およびセッションの確立が行われて、ＩＰ電話機３０から送出されたＩＰパケットがコンピュータ装置２６に届けられる。コンピュータ装置２６では、識別子が登録されている登録子機として子機端末装置５４に対して着呼を通知する。子機端末装置５４では、この通知を受けて、たとえば操作者がオフフック操作を行うと、この操作情報をコンピュータ装置２６に通知するとともに通話処理を開始する。コンピュータ装置２６では、子機端末装置５４とＩＰネットワークとの間にて行われる通話を維持管理する。
【００５８】
次に、子機端末装置５４が登録親機としてのコンピュータ装置２６の通信エリア外に移動している場合に、コンピュータ装置２６に対する着呼が発生した際の動作について図７を参照して説明する。
【００５９】
コンピュータ装置２６では、子機端末装置５４に対して着呼を通知してもその応答が子機端末装置５４から受信されない。また、コンピュータ装置２６は、登録子機である子機端末装置５４とのピコネットを形成していないことを認識しているので、所定の時間の経過後に、子機端末装置５４が応答不能である状態であるとコンピュータ装置２６は判断し、コンピュータ装置２６は発信側のＩＰ電話機３０に対して不在を通知する不在通知パケットをコンピュータ装置（ＧＫ）  ２０に返送する。コンピュータ装置（ＧＫ）  ２０では、この不在通知パケットを受信すると、不在を表す通知をＩＰ電話機３０に送出したり、また、たとえばメッセージ録音処理等の電話サービスなどをＩＰ電話機３０に対して提供することができる。
【００６０】
なお、複数の識別子がコンピュータ装置２６に登録されている場合で、子機端末装置５４以外の他の識別子が登録された子機端末装置が通信エリア内にてピコネットを形成している場合には、登録順位に応じた順番にて着呼を子機端末装置に通知する。この通知に正常に応答した子機端末装置を確認できると、コンピュータ装置２６は、その機器端末装置を接続して通話を開始させる。また、このような子機端末装置が不在である判断する場合には、コンピュータ装置２６がこの呼に応答して、たとえば不在メッセージを作成して発信側のＩＰ電話機３０に返信するように構成されてもよい。
【００６１】
以上説明したようにＩＰ電話システム１００は、Ｈ．３２３ゲートウェイとＰＨＳ基地局とを別に設置することなく、簡易型のコードレス電話システムを設備コスト削減して構築することができる。また、近距離無線技術のインタフェースを備え、かつネットワーク接続されているコンピュータ装置がある環境にて子機電話端末を用意し、コンピュータ装置にはＨ．３２３による呼制御機能を含むゲートウェイ機能をソフトウェア導入することによりコードレス電話システムを構築することができるので工事納期が不要となり、簡便な導入が行われる。また、内線電話をＬＡＮで統合でき、また逆に、子機間通信を内線通話として使用することにより、ＬＡＮ上のトラヒックの増大を防止することもできる。
【００６２】
このように、ネットワーク接続されているコンピュータ装置がある環境にて、子機電話端末のそれぞれについてさらに数多くのＩＰアドレスを設定することなく、簡易型のコードレス電話システムを構築することができる。
【００６３】
【発明の効果】
このように本発明によれば、イントラネット等のインターネットプロトコル網には、インターネットプロトコルと他の無線通信プロトコルとのプロトコル変換を行うコンピュータ装置と、コンピュータ装置に対する呼制御を行うゲートキーパ装置とが接続され、コンピュータ装置は無線通信プロトコルによって無線通信にて接続する第１の子機端末装置であって、インターネットプロトコル網を介して他の電話端末と音声通信を行う第１の子機端末装置を設定登録した構成を採用しているので、第１の子機端末装置にはＩＰアドレスを設定する必要がなくアドレス不足の恐れが回避され、親機としてのコンピュータ装置を介して発信および着信を行うことができる。この場合、無線通信プロトコルは、コンピュータ装置にて変換されるので、たとえばＰＨＳのような基地局を複数敷設工事することなく、またその配線工事を行うことなく、コードレス子機として機能する第１の子機端末装置を複数導入することが可能になる。
【００６４】
また、第１の子機端末同士や、第２の子機端末との間だの端末間通話をコンピュータネットワークとしてすでに存在しているＬＡＮに乗せることができる。さらに、第１および第２の子機端末装置同士にて直接無線通信を行った場合には、ＬＡＮ上のトラヒック増大を防止することができる。
【図面の簡単な説明】
【図１】本発明が適用されたＩＰ通信システムの構成例を示すブロック図である。
【図２】コンピュータ装置の内部機能構成を示すブロック図である。
【図３】子機端末装置の内部構成例を示すブロック図である。
【図４】子機端末装置から登録親機のコンピュータ装置を介してＩＰ電話機へ発信する動作を示す図である。
【図５】子機端末装置から未登録親機のコンピュータ装置を介してＩＰ電話機へ発信する動作を示す図である。
【図６】ＩＰ電話機から子機端末装置へ発信する動作を示す図である。
【図７】ＩＰ電話機から子機端末装置へ発信する際に、子機端末装置が登録親機であるコンピュータ装置とピコネットを形成していない場合の動作を示す図である。
【符号の説明】
１０  ＩＰネットワーク
２０  コンピュータ装置（Ｈ．３２３ゲートキーパ（ＧＫ））
２２，２４，２６  コンピュータ装置（ＰＣ）
３０，３２  ＩＰ電話機
４０  通信ユニット
５０，５２，５４  子機端末装置
１００  ＩＰ電話システム
【図１】
2005020545.tif 000003
【図２】
2005020545.tif 000004
【図３】
2005020545.tif 000005
【図４】
2005020545.tif 000006
【図５】
2005020545.tif 000007
【図６】
2005020545.tif 000008
【図７】
2005020545.tif 000009